(57)【要約】容器（３）用クロージャ（２）であり、容器（３）を閉めるために容器（３）と係合可能でありおよび／または容器（３）を閉めるために第２の部分と係合可能な第１の部分を有するクロージャ（２）であり、ここで、該クロージャ（２）は、オリフィス（１１）を有し、フレグランス源（８）を有し、チャンバ（９）を含むか、または、第１の部分が第２の部分と係合するとき、チャンバ（９）を形成するものであり、該チャンバ（９）はフレグランス源（８）を含むものであり、該クロージャ（２）は、容器（３）を閉めるために使用されるとき、チャンバ（９）が容器の内部空間から分離され、オリフィス（１１）により容器（３）の周囲に通気され、チャンバ（９）への加圧により一吹きのフレグランスがチャンバ（９）からオリフィス（１１）を通って容器（３）の周囲に放たれるよう配される、前記クロージャ。
2009530199.tif 000002
【特許請求の範囲】
【請求項１】
容器用のクロージャであって、該クロージャは、容器を閉めるために容器と係合可能であり、かつ／または容器を閉めるために第２の部分と係合可能な第１の部分を有し、ここで、該クロージャは、オリフィスを有し、使用時、フレグランス源を有し、チャンバを含むか、または、第１の部分が第２の部分と係合するとき、チャンバを形成するものであり、該チャンバは、使用時、フレグランス源を含むものであり、該クロージャは、容器を閉めるために使用されるとき、チャンバが容器の内部空間から分離され、オリフィスにより容器の周囲に通気され、および、使用時、チャンバへの加圧により一吹きのフレグランスがチャンバからオリフィスを通って容器の周囲に放たれるよう配される、前記クロージャ。
【請求項２】
容器の対応するねじ山部との係合のためのねじ山部を備えた、請求項１に記載のクロージャ。
【請求項３】
第１の壁および第２の壁を含むねじ式のキャップであり、前記第１の壁は、ねじ式のキャップが容器を閉めるために使用されるとき、チャンバを容器の内部空間から分離し、前記第２の壁は、オリフィスが形成され、チャンバを、オリフィスを除きねじ式のキャップの周囲から分離する、請求項２に記載のクロージャ。
【請求項４】
クロージャを容器を閉めるために使用するときおよび容器を容器内の内圧を上げるために圧迫するとき、内圧を上げることにより、可撓性の第１の壁の圧縮ならびにその結果チャンバの圧縮およびチャンバからオリフィスを通って容器の周囲への一吹きのフレグランスの放出をもたらすよう、第１の壁が可撓性である、請求項３に記載のクロージャ。
【請求項５】
クロージャの圧迫が、可撓性の第２の壁の圧縮ならびにその結果チャンバの圧縮およびチャンバからオリフィスを通ってクロージャの周囲への一吹きのフレグランスの放出をもたらすよう、第２の壁が可撓性であり、圧迫するのに利用可能である、請求項３に記載のクロージャ。
【請求項６】
クロージャが押し上げ式のふた組立品であり、組立品を容器に取り付けるとき、それを通して容器に含まれる消耗品を分配することができるノズル、およびノズルを閉めるためのノズルと係合可能な押し上げ式のふたを含み、該ノズルは、押し上げ式のふたをノズルと係合するとき、チャンバを容器の内部空間から分離する第１の壁を形成するものであり、押し上げ式のふたは第２の壁を形成し、この第２の壁は、オリフィスが形成され、チャンバを、オリフィスを除き押し上げ式のふた組立品の周囲から分離する、請求項１または２に記載のクロージャ。
【請求項７】
クロージャがフレグランス源を有し、第１の壁は、フレグランス源のフレグランスによる浸透性がある、請求項３〜６のいずれかに記載のクロージャ。
【請求項８】
押し上げ式のふたが、ブリスターの圧縮により、チャンバの圧縮およびチャンバからオリフィスを通ってクロージャの周囲への一吹きのフレグランスの放出がもたらされるよう、弾性的に変形可能なブリスターにより形成される、請求項６または請求項６に従属する請求項７に記載のクロージャ。
【請求項９】
消耗品用包装物であり、包装物は容器および容器用のクロージャを含み、該クロージャは、容器を閉めるために容器と係合可能でありおよび／または容器を閉めるために第２の部分と係合可能な第１の部分を有し、ここで、該クロージャは、オリフィスを有し、使用時、フレグランス源を有し、チャンバを含むか、または、第１の部分が第２の部分と係合するとき、チャンバを形成し、該チャンバは、使用時、フレグランス源を含み、該クロージャは、容器を閉めるために使用されるとき、チャンバが容器の内部空間から分離され、オリフィスにより容器の周囲に通気され、および、使用時、チャンバへの加圧により一吹きのフレグランスがチャンバからオリフィスを通って容器の周囲に放たれるよう配される、前記包装物。
【請求項１０】
消費者製品の消耗品を保持する容器の内部空間を有する容器を含む消費者製品であり、該容器は、容器から消耗品を分配させるための開口部および開口部を閉めるクロージャを有し、該クロージャは、開口部を閉めるために容器と係合可能でありおよび／または開口部を閉めるために第２の部分と係合可能な第１の部分を有し、ここで、該クロージャは、オリフィスおよびフレグランス源を有し、チャンバを含むか、または、第１の部分が第２の部分と係合するとき、チャンバを形成し、該チャンバは、フレグランス源を含み、該クロージャは、開口部を閉めるために使用されるとき、チャンバが容器の内部空間から分離され、オリフィスにより容器の周囲に通気され、および、使用時、チャンバへの加圧により一吹きのフレグランスがチャンバからオリフィスを通って容器の周囲に放たれるよう配される、前記消費者製品。
【請求項１１】
製品の活性物質を保持する内部空間およびフレグランスを保持するチャンバを備えた容器を有する消費者製品からフレグランスを分配する方法であり、製品を圧迫することおよびその結果内部空間からいずれの活性物質の放出もなく一吹きのフレグランスを放つことを含む、前記方法。
【発明の詳細な説明】
【技術分野】
【０００１】
発明の分野
本発明は、消費者製品からフレグランスを送達することに、特に容器用クロージャに、消耗品用包装物に、消費者製品におよび消費者製品からフレグランスを分配する方法に関する。
【背景技術】
【０００２】
発明の背景
本明細書の目的のために、「消費者製品」は、消耗品用包装物を意味し、該包装物は、容器および容器用クロージャを含み、典型的にはシャンプー、シャワージェル、洗濯用洗剤またはトイレ清掃用調製物などの液体消耗品である消耗品を含有し、典型的にフレグランスを含む。かかる消耗品はまた、「活性物質」ともいう。
【０００３】
フレグランスは、製品ブランドを強化することにより、消費者製品の促進および販売において重要な役割を果たす。スーパーマーケットでは、取り外し可能なキャップを有する消費者製品を販売する際、顧客が製品を棚から取り、消費者製品を購入する前に消耗品に含まれるフレグランスを試すことができるようそのキャップを取り外すことが知られている。緩めたキャップがしっかりと再び締められない場合、消耗品の漏出、汚染または破損の危険性がある。また、機能を果たすために、漂白剤などの攻撃的な成分を含有し得るいくつかの消耗品、例えば、液体清掃用製品もある。そして、容器内の消耗品の上の上部空間(空気)は、あまり魅力的でないにおいまたは使用中すぐに分散するにおいを含有し得、したがって使用後残存するフレグランスを代表するものではない。いくつかの消費者製品は、除去により製品を密封不可能にし得る不正開封防止または不正開封明示クロージャを有する。
【０００４】
これらの理由により、製品の一部、または製品の上の上部空間内の空気の一部を開放することにより消耗品のフレグランスを試すことは、本発明が克服することを目的とする多くの問題を有する。
【発明の開示】
【０００５】
発明の概要
本発明の第１の面にしたがい、容器用のクロージャを提供し、該クロージャは、容器を閉めるために容器と係合可能でありおよび／または容器を閉めるために第２の部分と係合可能な第１の部分を有し、ここで、該クロージャは、オリフィスを有し、使用時、フレグランス源を有し、チャンバを含むか、または、第１の部分が第２の部分と係合するとき、チャンバを形成するものであり、該チャンバは、使用時、フレグランス源を含むものであり、該クロージャは、容器を閉めるために使用されるとき、チャンバが容器の内部空間から分離され、オリフィスにより容器の周囲に通気され、および、使用時、チャンバへの加圧により一吹きのフレグランスがチャンバからオリフィスを通って容器の周囲に放たれるよう配される。
クロージャがフレグランス源を有するとき、本発明はクロージャを包含する。
【０００６】
したがって、本発明の第２の面にしたがい、容器用のクロージャを提供し、該クロージャは、容器を閉めるために容器と係合可能でありおよび／または容器を閉めるために第２の部分と係合可能な第１の部分を有し、ここで、該クロージャは、オリフィスおよびフレグランス源を有し、チャンバを含むか、または、第１の部分が第２の部分と係合するとき、チャンバを形成するものであり、該チャンバはフレグランス源を含有するものであり、該クロージャは、容器を閉めるために使用されるとき、チャンバが容器の内部空間から分離され、オリフィスにより容器の周囲に通気され、および、チャンバへの加圧により一吹きのフレグランスがチャンバからオリフィスを通って容器の周囲に放たれるよう配される。
【０００７】
本発明は、フレグランスを含む消耗品を含有する容器を閉めるために使用されるとき、容器を開けることなく、（製品のフレグランスと同様または同一の一吹きのフレグランスをオリフィスを通って容器の周囲に放つために、クロージャのチャンバを加圧することにより）消耗品のフレグランスを試すことを可能にするクロージャを提供することができる。チャンバへの加圧の繰り返しにより、数吹きのフレグランスをチャンバからオリフィスを通って容器の周囲に放つことができる。
【０００８】
本発明のクロージャは容器を開ける必要性を回避することから、容器内に含まれる消耗品の漏出、汚染または破損の危険性が減少し、不正開封防止または不正開封明示クロージャの除去についても同様である。
さらに、容器に含まれる消耗品が、上部空間が消耗品の使用後に残存するフレグランスを代表するものではないにおいを含有するような場合、本発明のクロージャは、消耗品の使用後に残存するフレグランスを試すことを可能にする。
【０００９】
もちろん、フレグランス源のフレグランスが、容器に含まれる消耗品に含まれるフレグランスを代表するものであることは必須ではない。フレグランス源のフレグランスは、例えば、容器に含まれるフレグランス以外の消耗品に含まれるフレグランスであってもよい。
クロージャが、容器を閉めるために第２の部分と係合可能な第１の部分を有する場合、クロージャを、例えば成型により容器と一体形成してもよいことが想定される。しかしながら、好ましくは、クロージャは、容器と係合可能なように構成されている。
【００１０】
本発明の好ましい態様において、クロージャは、容器の対応するねじ山部との係合のためのねじ山部を備えている。
本発明の第１の、第２のおよび第３の態様において、クロージャは、第１の壁および第２の壁を含むねじ式のキャップであり、前記第１の壁は、ねじ式のキャップが容器を閉めるために使用されるとき、チャンバを容器の内部空間から分離し、前記第２の壁は、オリフィスが形成され、チャンバを、オリフィスを除きねじ式のキャップの周囲から分離する。
【００１１】
第１のおよび第３の態様において、クロージャを容器を閉めるために使用するときおよび容器を容器内の内圧を上げるために圧迫するとき、内圧を上げることにより、可撓性の第１の壁の圧縮ならびにその結果チャンバの圧縮およびチャンバからオリフィスを通って容器の周囲への一吹きのフレグランスの放出をもたらすよう、第１の壁が可撓性である。
【００１２】
第２の態様において、クロージャの圧迫が、可撓性の第２の壁の圧縮ならびにその結果チャンバの圧縮およびチャンバからオリフィスを通ってクロージャの周囲への一吹きのフレグランスの放出をもたらすよう、第２の壁は可撓性であり、圧迫するのに利用可能である。
【００１３】
本発明の第４の態様において、クロージャは、押し上げ式のふた組立品であり、組立品を容器に取り付けるとき、それを通して容器に含まれる消耗品を分配することができるノズル、およびノズルを閉めるためのノズルと係合可能な押し上げ式のふたを含み、該ノズルは、押し上げ式のふたをノズルと係合するとき、チャンバを容器の内部空間から分離する第１の壁を形成するものであり、押し上げ式のふたは第２の壁を形成し、この第２の壁は、オリフィスが形成され、チャンバを、オリフィスを除き押し上げ式のふた組立品の周囲から分離する。
【００１４】
第１の壁は、有利にフレグランス源のフレグランスによる浸透性があってもよい。
このように、クロージャが、さもなければ消耗品の上の上部空間にあまり魅力的でないにおい、または使用中すぐに分散し、よって消耗品の使用後に残存するフレグランスを代表するものではないにおいを含有させる消耗品を含有する容器を閉めるために使用される場合、クロージャは、容器を開けたとき、上部空間があまり魅力的でないにおいまたは使用中すぐに分散するにおいよりはむしろフレグランスを含有するよう、フレグランスを上部空間に導入させることができる。
【００１５】
第４の態様において、押し上げ式のふたは、ブリスターの圧縮により、チャンバの圧縮およびチャンバからオリフィスを通ってクロージャの周囲への一吹きのフレグランスの放出がもたらされるよう、弾性的に変形可能なブリスターにより形成される。
本発明は、その範囲内で、後者を活性物質で充填するまたはフレグランスを詰める前の消費者製品を含む。
【００１６】
したがって、本発明の第３の面にしたがい、消費者製品用包装物を提供し、該包装物は製品の活性物質を保持する内部空間を有する容器を含み、該容器は開口部と、使用時、開口部を閉め、容器から物質を分配する目的のために容器から取り外し可能なクロージャとを有し、該クロージャは、容器の内部空間からチャンバを分離する第１の壁およびその中にオフィリスを有し、製品の周囲からチャンバを分離することを特徴とするチャンバを含み、該チャンバは、使用時、フレグランス源を有し、チャンバを含むか、または、第１の部分が第２の部分と係合するとき、チャンバを形成し、該チャンバは、使用時、チャンバへの加圧により一吹きのフレグランスがチャンバからオリフィスを通っておよび周囲にいずれの活性物質の放出もなく放たれるよう、フレグランス源を保持する。
【００１７】
本発明はまた、その範囲内で、消耗品用包装物を含み、該包装物は、容器および容器用のクロージャを、前者を消耗品で充填する前に含む。
【００１８】
本発明の第４の面にしたがい、消耗品用包装物を提供し、該包装物は容器および容器用のクロージャを含み、該クロージャは、容器を閉めるために容器と係合可能でありおよび／または容器を閉めるために第２の部分と係合可能な第１の部分を有し、ここで、該クロージャは、オリフィスおよびフレグランス源を有し、チャンバを含むか、または、第１の部分が第２の部分と係合するとき、チャンバを形成し、該チャンバは、フレグランス源を含み、該クロージャは、容器を閉めるために使用されるとき、チャンバが容器の内部空間から分離され、オリフィスにより容器の周囲に通気され、およびチャンバへの加圧により一吹きのフレグランスがチャンバからオリフィスを通って容器の周囲に放たれる。
【００１９】
本発明はさらに、その範囲内で、容器および容器用のクロージャを、前者を消耗品で充填する前のみならず、後者にフレグランスを詰める前に含む。
【００２０】
本発明の第５の面にしたがい、消耗品用包装物を提供し、該包装物は容器および容器用のクロージャを含み、該クロージャは、開口部を閉めるために容器と係合可能でありおよび／または開口部を閉めるために第２の部分と係合可能な第１の部分を有し、ここで、該クロージャは、オリフィスを有し、使用時、フレグランス源を有し、チャンバを含むか、または、第１の部分が第２の部分と係合するとき、チャンバを形成し、該チャンバは、フレグランス源を含み、該クロージャは、容器を閉めるために使用されるとき、チャンバが容器の内部空間から分離され、オリフィスにより容器の周囲に通気され、および、使用時、チャンバへの加圧により一吹きのフレグランスがチャンバからオリフィスを通って容器の周囲に放たれるよう配される。
【００２１】
クロージャが容器を閉めるために第２の部分と係合可能な第１の部分を有する場合、クロージャの第１の部分は、有利に容器と一体形成されてもよい。
しかしながら、好ましくは、クロージャは容器と係合可能であり、よりまた好ましくは、ねじ山によって係合可能である。
【００２２】
本発明の第６の面にしたがい、消費者製品を提供し、該製品は、製品の活性物質を保持する内部空間を有する容器を含み、該容器は、開口部と、開口部を閉め、容器から物質を分配させるための容器から取り外し可能なクロージャとを有し、該クロージャは、チャンバを容器の内部空間から分離する第１の壁を、および中にオリフィスを有し、チャンバを製品の周囲から分離する第２の壁を特徴とするチャンバを含み、該チャンバは、チャンバへの加圧により一吹きのフレグランスがチャンバからオリフィスを通っておよび周囲にいずれの活性物質の放出もなく放たれるよう、フレグランス源を保持する。
【００２３】
したがって、フレグランスを試すことによって、消耗品は激減せず、または消耗品を収容している空間を封するシールの破損を伴わないので、後者の漏出の危険が避けられる。
【００２４】
これは、消耗品に関してフレグランスの性質を選択する完全な自由があることを意味する。通常、フレグランスは、消耗品のフレグランスを代表するものであるが、フレグランスが、あまり代表的ではない可能性もある。例えば、フレグランスは、補完的または相対する製品を宣伝し得る。
好ましくは、消耗品は、消耗液体製品である。
【００２５】
消費者製品は、容器から突出しているまたは容器から引き出し可能なチャンバのいずれかの結果として、例えば、チャンバ壁を可撓性および圧迫するために利用可能とすることにより、チャンバへの加圧は、チャンバ壁の直接的な手動圧迫によるものであるよう設計してもよい。しかしながら、チャンバは、容器を容器内の内圧を上げるために圧迫される容器内に位置するのが好ましく、内圧を上げることによって、チャンバの可撓性の第１の壁の圧縮およびその結果一吹きのフレグランスの放出をもたらす。
【００２６】
いくつかの態様において、チャンバは、容器の上部の上部空間に位置し、本発明は、従来の容器またはその消耗品を変更することなく、また外観の著しい変化なく、クロージャの変更を実施することが可能である。好ましくは、クロージャがねじ式のキャップであり、容器がキャップがねじ込まれるネックを有し、従来のキャップの円板様の上部が、第１の壁がキャップの上部から容器のネック内にぶら下がり、第２の壁がキャップの上部に広がるよう変更されている。第１の壁は、都合良くは管状であり、管状の側壁および閉下端を有し、容器のネックに位置し、側壁および容器のネックの間の全体にクリアランスを有する。
【００２７】
一態様において、管状の側壁が筒状であり、よって側壁が面内円形ではあるが、側壁が、例えば、面内楕円形であるように、側壁を、有利に平らにしてもよい。これにより、第１の壁の圧縮、それゆえ、一吹きのフレグランスの放出が容易になり得る。
【００２８】
本発明の第７の面にしたがい、消費者製品を提供し、該製品は、消費者製品の消耗品を保持する内部空間を有する容器を含み、該容器は、容器から消耗品を分配させるための開口部および開口部を閉めるクロージャを有し、該クロージャは、開口部を閉めるために容器と係合可能であり、かつ／または開口部を閉めるために第２の部分と係合可能である第１の部分を有し、ここで、該クロージャは、オリフィスおよびフレグランス源を有し、チャンバを含むか、または、第１の部分が第２の部分と係合するとき、チャンバを形成し、該チャンバは、フレグランス源を含み、該クロージャは、開口部を閉めるために使用されるとき、チャンバが容器の内部空間から分離され、オリフィスにより容器の周囲に通気され、チャンバへの加圧により一吹きのフレグランスがチャンバからオリフィスを通って容器の周囲に放たれるよう配される。
【００２９】
本発明の第８の面にしたがい、製品の活性物質を保持する内部空間およびフレグランスを保持するチャンバを備えた容器を有する消費者製品からフレグランスを分配する方法を提供し、該方法は、製品を圧迫することおよびその結果内部空間からいずれの活性物質の放出もなく一吹きのフレグランスを放つことを含む。
【００３０】
前述のとおり、ユーザーが容器を圧迫し、容器内の圧力を上げることにより、一吹きのフレグランスを容器内の空間から分離したチャンバ内に保持されたフレグランス源から放出させる結果となることが好ましい。
【００３１】
本発明は、フレグランスが活性物質のフレグランスと極めて類似したまたは同一であり得るヘアシャンプーおよびシャワージェルなどの製品に特に適用可能である。漂白剤（例えばある清掃用または洗濯用調製物）などのより攻撃的な成分を含む製品の場合、フレグランスは、活性物質が実際に使用され一定期間放置された後も残存するまたはとどまる、フレグランスを代表するものであってもよい。
【００３２】
図面の簡単な説明
本発明の好ましい態様を形成する消費者製品および４種のクロージャを、例証として、添付の図面を参照に説明する。
【００３３】
図面の詳細な説明
消費者製品である家庭清掃用調製物は、消耗液体製品４（清掃用液体）を保持するプラスチック容器３を含み、その上部は容器のネック１３内に延びる上部空間５である。クロージャキャップ２は、ネック１３の外部表面に一体成型されたねじ山にねじ込まれるプラスチック本体を有する。
【００３４】
キャップ２の本体は、ネック１３の上端の内部表面に対して密閉状に係合するぶら下がり型筒状の壁１２を有する。一体成型され、上部からぶら下がるキャップ本体は、可撓性の管状の壁６であり、閉下端で終わり、チャンバ９を特徴付ける。チャンバ９は、消耗液体製品４のフレグランス（参照符号８で示す）を代表するフレグランスを含浸させた基材７を収容する。基材７は、塊の縮れたポリエステル繊維からなる。塊の縮れたポリエステル繊維の使用により、基材は膨張し、チャンバ９を実質的に充填するが、可撓性の管状の壁６が圧縮されたときに簡単に変形可能である。キャップ本体の円形の上部（およびチャンバ９の上部）を、ピンホール１１により形成された中央オリフィスを有する円盤型の壁１０により閉める。したがって、壁６は、上部空間内に下方に突出し、そこから密封され、ネック１３により全体に半径クリアランスで囲われる。
【００３５】
消費者製品がスーパーマーケットの棚にあるとき、潜在的購入者は容器３を圧迫することができ、これにより、上部空間５内の圧力が増加する。これは次にチャンバ９の壁を圧縮し、チャンバ内の圧力を上げ、消耗品からまたは上部空間５からいずれのフレグランスの放出もなくピンホール１１を通して基材から小さな一打ちのまたは一吹きのフレグランスをもたらす。消耗品４を開けたネックを通して注ぎ得るとき、消耗品４は、クロージャキャップ２を容器のネック１３から緩めるまでは容器内に密封されたままである。この行動は一般的に、消費者製品を購入し、自宅へ持ち帰った後に行なわれ、キャップ２を緩める行動は、キャップにかかる回転のモーメントに耐えるために、容器を加圧した結果として物質から一吹きのフレグランスを放出することとなる。
当然のことながら、容器３（および消耗品）は、従来のものであり得、クロージャキャップ２のみが、本発明を実施する際に変更を要する。
【００３６】
図３において、１回分の消耗品４を、容器３からキャップ２内に注がれている。可撓性の壁６の閉端（図３において、参照番号１５で示す）を、正しい用量の消耗品４がキャップ内に注がれたことを決定するのに使用する。消耗品４の表面が可撓性の壁６の閉端１５と同じ高さであるとき、正しい用量が測れたとする。より一貫性のある消耗品の注入が、閉端１５を使用して可能になると考えられる。これは、可撓性の壁６に対してメニスカスが形成されず、表面のレベルを、キャップの外壁に対して測定した場合、消耗品表面の表面のレベルが上昇する不明確性がないためである。
【００３７】
図４に関し、第２のクロージャキャップ２０は、外側部２２、内側部２４およびフレグランスを含浸させた環状の紙製基材２６の形のフレグランス源を含む。キャップの外側部２２はカップ型であり、その閉端の中央にピンホール２８を有する。外側部２２の開端は、容器（図示せず）のネックの内側のねじ山との係合のための外部ねじ山部３０により形成される。外側部２２は、その長さのおよそ半分の位置の半径方向内向きに突出する環状のへり３２により形成される。キャップの内側部２４もまたカップ型であり、半径方向外向きに突出する環状のへり３４により形成される。基材２６は、内側部２４の閉端の外部表面の中央に固定され、そして内側部２４は、まず外側部２２の開端内に閉端から導入される。内側部２４は、内側部のへり３４が外側部のへり３２に隣接するまで外側部２２に押し込まれ、するとすぐに、へり３２および３４が共に結合し、外側部２２の閉端の内部表面および内側部２４の外部表面の間に一般的なカップ型のチャンバが形成される。
【００３８】
図５は、キャップ２０の外側部２２の閉端３８が圧迫され、一吹きのフレグランスがチャンバ３８からオリフィス２８を通って分配されることを示す。キャップの外側部２２は弾力があり、開放されたとき、図４に示す形に戻る。
【００３９】
図６は、カップ型の外側部４２、皿型の内側部４４およびフレグランスを含浸させた環状の紙製基材４６を含む第３のクロージャキャップ４０を示す。スリーブ４８は、外側部の開端に向かって外側部４２の外部表面から延びる。スリーブの内部表面は、容器（図示せず）のネックの外側のねじ山との係合のためにねじ山がつけられている。半径方向外向きに突出するへり４３は、皿型の内側部４４の開いた側から延び、外側部４２の閉端の内部表面および内側部４４の閉側の内部表面の間にチャンバ５０を形成するよう、外側部４２の閉端の内部表面に結合する。外側部４２の閉端の中央のピンホール５２は、チャンバ５０を通気させる。キャップ４０が容器のネックにねじ込まれるとき、容器のネックの開端はスリーブ４８の閉端により密閉される。
【００４０】
図７は、容器内の内圧を上げるために、キャップを閉めるために使用する容器（図示せず）を圧迫した結果圧縮を受ける内側部４４を示す。内側部４４の圧縮は、チャンバ５０の体積を低減させ、一吹きのフレグランスがチャンバからオリフィス５２を通って吐き出される。内側部４４は弾力があり、容器が開放されたときまたはキャップ４０が容器から外されたとき、図６に示す形に戻る。内側部４４は、ポリエチレンから形成された膜であり、基材４６からフレグランスが、内側部４４を通って容器の上部空間内に拡散することができるよう十分に多孔性であるが、膜がキャップ４０で閉めた容器の内圧が容器を圧迫することにより上がるときもまだ変形している。
【００４１】
図８に関し、押し上げ式のキャップ組立品６０は、リビングヒンジ６４によって、フレグランスを含浸させた紙製基材が取り付けられた押し上げ式のふた６６に取り付けられた一般的なカップ型のノズル部分６２を含む。ノズル部分の内部表面には、容器（図示せず）のネックの外部表面にあるねじ山との係合のためのねじ山がある。ノズル部分６２の閉端は、図９に示すように、押し上げ式のふたを開けるときに消耗品を容器から分配することができる開口（図９において、参照番号７０で示す）により形成される。押し上げ式のふた６６は、一般的な皿型であり、ふたの内部表面から突出する栓（図９において、参照番号７２で示す）により形成され、図８に示すように、ふたを閉めるとき、開口７０に密封式フィットを形成する。
【００４２】
図８に示すように、押し上げ式のふた６６を閉めるとき、チャンバ７４が、部分６２の閉端の外部表面およびふた６６の内部表面の間、開口７０および栓７２の周囲に形成される。基材６８は、チャンバ７４に含まれる。押し上げ式のふた６６は、チャンバ７４を通気するオリフィス７６および可撓性ブリスター７８により形成される。ブリスター７８は圧縮することができ、これによってチャンバ７４の体積を低減させ、１回分のフレグランスがオリフィス７６を通って放出される。これは、図１０に示され、指によってブリスター７８に及ぼされた圧縮力が参照番号８０で示す矢印により表されている。ブリスター７８は弾性的に可撓性であり、したがって、圧縮力がブリスターから除かれたとき、図８および９に示す形に戻る。
【００４３】
消費者製品用の従来の押し上げ式のふた組立品（すなわち、基材６８、オリフィス７６およびブリスター７８がない押し上げ式のふた組立品）にはしばしば、押し上げ式のふたの開封防止のために、ねじ山部および押し上げ式のふたの間の継ぎ目を囲む収縮包装されたスリーブの形状の不正開封明示シールが備えてある。従来の押し上げ式のふた組立品により閉められた容器に含まれた消耗品のフレグランスを試すとき、不正開封明示シールを破らなければならない。本発明の押し上げ式のふた組立品は、不正開封明示シールを破ることなく押し上げ式のふた組立品により閉められた容器に含まれた消耗品のフレグランスを試すのに使用することができ、かなり価値のある特徴である。
【００４４】
上記説明は、本発明の４態様にのみ関するものであり、本発明は、特許請求の範囲に定義された他の態様を包含することは明らかである。
【図面の簡単な説明】
【００４５】
【図１】消費者製品の上部の部分断面図である。
【図２】消費者製品のクロージャキャップの断面図である。
【図３】消費者製品の消耗品の用量を測定するために使用中の図２のクロージャキャップの断面図である。
【図４】第２のクロージャキャップの断面図である。
【図５】キャップから１回分のフレグランスを分配させるよう圧迫した第２のクロージャキャップの断面図である。
【図６】第３のクロージャキャップの断面図である。
【図７】キャップから１回分のフレグランスを分配させるようキャップのチャンバを加圧した第３のクロージャキャップの断面図である。
【図８】閉鎖位置にある押し上げ式のふた組立品の断面図である。
【図９】開放位置にある押し上げ式のふた組立品の断面図である。
【図１０】ふたから１回分のフレグランスを分配させるようふたのチャンバを加圧した押し上げ式のふた組立品の断面図である。
【図１】
2009530199.tif 000003
【図２】
2009530199.tif 000004
【図３】
2009530199.tif 000005
【図４】
2009530199.tif 000006
【図５】
2009530199.tif 000007
【図６】
2009530199.tif 000008
【図７】
2009530199.tif 000009
【図８】
2009530199.tif 000010
【図９】
2009530199.tif 000011
【図１０】
2009530199.tif 000012
【国際調査報告】
2009530199.tif 000013
2009530199.tif 000014